【手続補正書】
【提出日】平成15年7月17日(2003.7.17)
【手続補正１】
【補正対象書類名】明細書
【補正対象項目名】発明の名称
【補正方法】変更
【補正の内容】
【発明の名称】電源回路および液晶表示装置


【手続補正２】
【補正対象書類名】明細書
【補正対象項目名】特許請求の範囲
【補正方法】変更
【補正の内容】
【特許請求の範囲】
【請求項１】
第１の蓄電素子と、
第２の蓄電素子と、
前記第１の蓄電素子の一方の端子と所定の電位を有する第１のラインとの間に接続される第１の接続手段と、
前記第１の蓄電素子の他方の端子と第２のラインとの間に接続される第２の接続手段と、
前記第１の蓄電素子の一方の端子と前記第１のラインとは異なる電位を有する第２のラインとの間に接続される第３の接続手段と、
前記第２の蓄電素子の一方の端子と前記第１の蓄電素子の他方の端子の間に接続される第４の接続手段と、
前記第２の蓄電素子の他方の端子と前記第１の蓄電素子の他方の端子との間に接続される第５の接続手段と、
前記第２の蓄電素子の一方の端子と前記第１のラインとの間に接続される第６の接続手段と、
出力ラインと前記第２の蓄電素子の他方の端子との間に接続される第７の接続手段とを有し、
前記第１乃至第７の接続手段は、
第１の過程において、第１の蓄電素子における一方の端子を、所定の電位を有する第１のラインに接続するとともに、前記第１の蓄電素子における他方の端子を、前記第１のラインとは異なる電位を有する第２のラインに接続するよう制御され、
第２の過程において、第２の蓄電素子における一方の端子を前記第１のラインに接続するとともに、前記第１の蓄電素子における一方の端子を前記第２のラインに切り替え、かつ、前記第１の蓄電素子における他方の端子を前記第２の蓄電素子における他方の端子に切り替えて接続するよう制御され、
前記第２の過程と排他的に行われる第３の過程において、前記第２の蓄電素子における一方の端子を前記第１のラインに接続するとともに、他方の端子を前記第２のラインに接続するよう制御され、
第４の過程において、前記第２の蓄電素子における一方の端子を前記第１の蓄電素子における他方の端子に切り替えるとともに、前記第２の蓄電素子における他方の端子を出力ラインに切り替えて接続するよう制御され、
前記第２の過程を含む昇圧動作と、前記第３の過程を含む昇圧動作を時分割で行うよう制御されることを特徴とする電源回路。
【請求項２】
前記第２のラインの電位または前記出力ラインに基づく電位が所定の値より絶対値でみて小さい場合に、前記第２の過程による前記第２の蓄電素子の接続期間を、前記第３の過程による前記第２の蓄電素子の接続期間よりも長くなるように制御されることを特徴とする請求項１記載の電源回路。
【請求項３】
第２及び第３の過程と排他的に行われ、前記第１の蓄電素子における一方の端子が前記第２のラインに接続された状態で、前記第１の蓄電素子における他方の端子を前記出力ラインに接続する第５の過程を有し、
前記第２または第３の過程を含む昇圧動作と、前記第５の過程を含む昇圧動作を時分割で行うよう制御されることを特徴とする請求項１または２記載の電源回路。
【請求項４】
前記第２のラインの電位または前記出力ラインに基づく電位が所定の値より絶対値でみて小さい場合に、前記第２または第３の過程による前記第２の蓄電素子の接続期間を、前記第５の過程の接続期間よりも長くなるように制御されることを特徴とする請求項３記載の電源回路。
【請求項５】
前記第２のラインを前記出力ラインに接続する第６の過程を有し、
前記第２、第３、または第５の過程を含む昇圧動作と、前記第６の過程による昇圧動作を時分割で行うよう制御されることを特徴とする請求項１または３記載の電源回路。
【請求項６】
前記第２のラインの電位または前記出力ラインに基づく電位が所定の値より絶対値でみて小さい場合に、前記第２または第３の過程による前記第２の蓄電素子の接続期間あるいは前記第５の過程による接続期間を、前記第６の過程の接続期間よりも長くなるように制御されることを特徴とする請求項５記載の電源回路。
【請求項７】
第１の蓄電素子と、
第２の蓄電素子と、
前記第１の蓄電素子の一方の端子と所定の電位を有する第１のラインとの間に接続される第１の接続手段と、
前記第１の蓄電素子の他方の端子と第２のラインとの間に接続される第２の接続手段と、
前記第１の蓄電素子の一方の端子と前記第１のラインとは異なる電位を有する第２のラインとの間に接続される第３の接続手段と、
前記第２の蓄電素子の一方の端子と前記第１の蓄電素子の他方の端子の間に接続される第４の接続手段と、
前記第２の蓄電素子の他方の端子と前記第１の蓄電素子の他方の端子との間に接続される第５の接続手段と、
前記第２の蓄電素子の一方の端子と前記第１のラインとの間に接続される第６の接続手段と、
出力ラインと前記第２の蓄電素子の他方の端子との間に接続される第７の接続手段とを有し、
前記第１乃至第７の接続手段は、
第１の過程において、第１の蓄電素子における一方の端子を、所定の電位を有する第１のラインに接続するとともに、前記第１の蓄電素子における他方の端子を、前記第１のラインとは異なる電位を有する第２のラインに接続するよう制御され、
第２の過程において、第２の蓄電素子における一方の端子を前記第１のラインに接続するとともに、前記第１の蓄電素子における一方の端子を前記第２のラインに切り替え、かつ、前記第１の蓄電素子における他方の端子を前記第２の蓄電素子における他方の端子に切り替えて接続するよう制御され、
２ｎ倍の昇圧電圧発生手段は、第ｍ（ｍは、３≦ｍ≦ｎを満たす整数）の蓄電素子における一方の端子を前記第１のラインに接続するとともに、前記第（ｍ−１）の蓄電素子における一方の端子を前記第（ｍ−２）の蓄電素子における他方の端子に切り替え、かつ、前記第（ｍ−１）の蓄電素子における他方の端子を前記第ｍの蓄電素子における他方の端子に切り替えて接続する第３から第ｎまでの過程と、
第ｎの蓄電素子における一方の端子を第（ｎ−１）の蓄電素子における他方の端子に切り替えるとともに、前記第ｎの蓄電素子における他方の端子を出力ラインに切り替えて接続する第（ｎ＋１）の過程を有し、
２ｎ’倍の昇圧電圧発生手段は、第ｍ’（ｍ’は、３≦ｍ’≦ｎ’を満たす整数）の蓄電素子における一方の端子を前記第１のラインに接続するとともに、前記第（ｍ’−１）の蓄電素子における一方の端子を前記第（ｍ’−２）の蓄電素子における他方の端子に切り替え、かつ、前記第（ｍ’−１）の蓄電素子における他方の端子を前記第ｍ’の蓄電素子における他方の端子に切り替えて接続する第３から第ｎ’までの過程と、
第ｎ’の蓄電素子における一方の端子を第（ｎ’−１）の蓄電素子における他方の端子に切り替えるとともに、前記第ｎの蓄電素子における他方の端子を出力ラインに切り替えて接続する第（ｎ’＋１）の過程とを有し、
前記２ｎ倍の昇圧電圧発生工程と前記２ｎ’倍の昇圧電圧発生工程とを時分割で行うことにより、２ｎ倍と２ｎ’倍の中間の昇圧電圧を発生させることを特徴とする電源回路。
【請求項８】
請求項１乃至７いずれか記載の電源回路を有することを特徴とする液晶表示装置。
【手続補正３】
【補正対象書類名】明細書
【補正対象項目名】００１２
【補正方法】変更
【補正の内容】
【００１２】
【課題を解決するための手段】
上記目的を達成するために本発明にかかる昇圧回路にあっては、第１の蓄電素子と、第２の蓄電素子と、前記第１の蓄電素子の一方の端子と所定の電位を有する第１のラインとの間に接続される第１の接続手段と、前記第１の蓄電素子の他方の端子と第２のラインとの間に接続される第２の接続手段と、前記第１の蓄電素子の一方の端子と前記第１のラインとは異なる電位を有する第２のラインとの間に接続される第３の接続手段と、前記第２の蓄電素子の一方の端子と前記第１の蓄電素子の他方の端子の間に接続される第４の接続手段と、前記第２の蓄電素子の他方の端子と前記第１の蓄電素子の他方の端子との間に接続される第５の接続手段と、前記第２の蓄電素子の一方の端子と前記第１のラインとの間に接続される第６の接続手段と、出力ラインと前記第２の蓄電素子の他方の端子との間に接続される第７の接続手段とを有し、前記第１乃至第７の接続手段は、第１の過程において、第１の蓄電素子における一方の端子を、所定の電位を有する第１のラインに接続するとともに、前記第１の蓄電素子における他方の端子を、前記第１のラインとは異なる電位を有する第２のラインに接続するよう制御され、第２の過程において、第２の蓄電素子における一方の端子を前記第１のラインに接続するとともに、前記第１の蓄電素子における一方の端子を前記第２のラインに切り替え、かつ、前記第１の蓄電素子における他方の端子を前記第２の蓄電素子における他方の端子に切り替えて接続するよう制御され、前記第２の過程と排他的に行われる第３の過程において、前記第２の蓄電素子における一方の端子を前記第１のラインに接続するとともに、他方の端子を前記第２のラインに接続するよう制御され、第４の過程において、前記第２の蓄電素子における一方の端子を前記第１の蓄電素子における他方の端子に切り替えるとともに、前記第２の蓄電素子における他方の端子を出力ラインに切り替えて接続するよう制御され、前記第２の過程を含む昇圧動作と、前記第３の過程を含む昇圧動作を時分割で行うよう制御されることを特徴とする。


【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明の電源回路によれば、仮に、第２の接続手段による第２の蓄電素子の接続期間を全期間に、第４の接続手段による接続期間をゼロとして制御すると、上述のように、出力ラインの電位は、第２のラインの４倍電位となる。一方、第２の接続手段による第２の蓄電素子の接続期間をゼロに、第４の接続手段による接続期間を全期間として制御すると、第２の蓄電素子の出力電圧は、第１のラインと第２のラインとの電位差の２倍とならずに等倍となるので、出力ラインの電位は、第２のラインの３倍電位となる。このため、接続期間の割合を制御して、出力ラインの電位を平滑化すると、昇圧倍数を４倍〜３倍の間で無段階に可変させることが可能となる。


【手続補正６】
【補正対象書類名】明細書
【補正対象項目名】００１５
【補正方法】変更
【補正の内容】
【００１５】
なお、このような構成は、第１のラインが第２のラインよりも高位となる場合にも、第１のラインが第２のラインよりも低位となる場合にも、それぞれ対応可能である。また、基準電位は、第１のラインまたは第２のラインいずれでも良い。


【手続補正７】
【補正対象書類名】明細書
【補正対象項目名】００１６
【補正方法】変更
【補正の内容】
【００１６】
この場合において、前記第２のラインの電位または前記出力ラインに基づく電位が所定の値より絶対値でみて小さい場合に、前記第２の過程による前記第２の蓄電素子の接続期間を、前記第３の過程による前記第２の蓄電素子の接続期間よりも長くなるように制御されることが望ましい。これにより、出力ラインの電位を一定化させることができる。


【手続補正８】
【補正対象書類名】明細書
【補正対象項目名】００１７
【補正方法】変更
【補正の内容】
【００１７】
加えて、本発明にかかる電源回路において、第２及び第３の過程と排他的に行われ、前記第１の蓄電素子における一方の端子が前記第２のラインに接続された状態で、前記第１の蓄電素子における他方の端子を前記出力ラインに接続する第５の過程を有し、前記第２または第３の過程を含む昇圧動作と、前記第５の過程を含む昇圧動作を時分割で行うよう制御されることを特徴とする。


【手続補正９】
【補正対象書類名】明細書
【補正対象項目名】００１８
【補正方法】変更
【補正の内容】
【００１８】
この場合において、前記第２のラインの電位または前記出力ラインに基づく電位が所定の値より絶対値でみて小さい場合に、前記第２または第４の過程による前記第２の蓄電素子の接続期間を、前記第５の過程の接続期間よりも長くなるように制御されることが望ましい。これにより、出力ラインの電位を一定化させることができる。


【手続補正１０】
【補正対象書類名】明細書
【補正対象項目名】００１９
【補正方法】変更
【補正の内容】
【００１９】
また、本発明の電源回路は、前記第２のラインを前記出力ラインに接続する第６の過程を有し、前記第２、第３、または第５の過程を含む昇圧動作と、前記第６の過程による昇圧動作を時分割で行うことを特徴とする。


【手続補正１１】
【補正対象書類名】明細書
【補正対象項目名】００２０
【補正方法】変更
【補正の内容】
【００２０】
この場合、前記第２のラインの電位または前記出力ラインに基づく電位が所定の値より絶対値でみて小さい場合に、前記第２または第３の過程による前記第２の蓄電素子の接続期間あるいは前記第５の接続手段による接続期間を、前記第６の接続手段の接続期間よりも長くなるように制御することが望ましい。これにより、出力ラインの電位を一定化させることができる。


【手続補正１２】
【補正対象書類名】明細書
【補正対象項目名】００２１
【補正方法】変更
【補正の内容】
【００２１】
また、本発明の電源回路は、第１の蓄電素子と、第２の蓄電素子と、前記第１の蓄電素子の一方の端子と所定の電位を有する第１のラインとの間に接続される第１の接続手段と、前記第１の蓄電素子の他方の端子と第２のラインとの間に接続される第２の接続手段と、前記第１の蓄電素子の一方の端子と前記第１のラインとは異なる電位を有する第２のラインとの間に接続される第３の接続手段と、前記第２の蓄電素子の一方の端子と前記第１の蓄電素子の他方の端子の間に接続される第４の接続手段と、前記第２の蓄電素子の他方の端子と前記第１の蓄電素子の他方の端子との間に接続される第５の接続手段と、前記第２の蓄電素子の一方の端子と前記第１のラインとの間に接続される第６の接続手段と、出力ラインと前記第２の蓄電素子の他方の端子との間に接続される第７の接続手段とを有し、前記第１乃至第７の接続手段は、第１の過程において、第１の蓄電素子における一方の端子を、所定の電位を有する第１のラインに接続するとともに、前記第１の蓄電素子における他方の端子を、前記第１のラインとは異なる電位を有する第２のラインに接続するよう制御され、第２の過程において、第２の蓄電素子における一方の端子を前記第１のラインに接続するとともに、前記第１の蓄電素子における一方の端子を前記第２のラインに切り替え、かつ、前記第１の蓄電素子における他方の端子を前記第２の蓄電素子における他方の端子に切り替えて接続するよう制御され、２ｎ倍の昇圧電圧発生手段は、第ｍ（ｍは、３≦ｍ≦ｎを満たす整数）の蓄電素子における一方の端子を前記第１のラインに接続するとともに、前記第（ｍ−１）の蓄電素子における一方の端子を前記第（ｍ−２）の蓄電素子における他方の端子に切り替え、かつ、前記第（ｍ−１）の蓄電素子における他方の端子を前記第ｍの蓄電素子における他方の端子に切り替えて接続する第３から第ｎまでの過程と、第ｎの蓄電素子における一方の端子を第（ｎ−１）の蓄電素子における他方の端子に切り替えるとともに、前記第ｎの蓄電素子における他方の端子を出力ラインに切り替えて接続する第（ｎ＋１）の過程を有し、２ｎ’倍の昇圧電圧発生手段は、第ｍ’（ｍ’は、３≦ｍ’≦ｎ’を満たす整数）の蓄電素子における一方の端子を前記第１のラインに接続するとともに、前記第（ｍ’−１）の蓄電素子における一方の端子を前記第（ｍ’−２）の蓄電素子における他方の端子に切り替え、かつ、前記第（ｍ’−１）の蓄電素子における他方の端子を前記第ｍ’の蓄電素子における他方の端子に切り替えて接続する第３から第ｎ’までの過程と、第ｎ’の蓄電素子における一方の端子を第（ｎ’−１）の蓄電素子における他方の端子に切り替えるとともに、前記第ｎの蓄電素子における他方の端子を出力ラインに切り替えて接続する第（ｎ’＋１）の過程とを有し、前記２ｎ倍の昇圧電圧発生工程と前記２ｎ’倍の昇圧電圧発生工程とを時分割で行うことにより、２ｎ倍と２ｎ’倍の中間の昇圧電圧を発生させることを特徴とする。


【手続補正１３】
【補正対象書類名】明細書
【補正対象項目名】００２２
【補正方法】変更
【補正の内容】
【００２２】
このようにすることにより、容易にｎ倍とｎ’倍の中間の昇圧電圧を発生させることができる。


【手続補正１４】
【補正対象書類名】明細書
【補正対象項目名】００２３
【補正方法】変更
【補正の内容】
【００２３】
また、本発明の液晶表示装置は、上記電源回路を有することを特徴とする。


【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】